(57)【要約】【課題】花器の水替え等の際に花器に挿した被鑑賞物に当接させることなく使用することができると共に、鉢花の水やり、金魚鉢の水替え、容器間の水の移動等の種々の作業に使用することができる水ポンプを提供する。水ポンプの包装時、運搬時、収納時等に水ポンプをコンパクトに折り畳むことができるようにする。【解決手段】膨縮自在の弾性握筒１の下端には第一逆止弁７を備えた吸入管３と第二逆止弁９を備えた排出管５とを連通させ、該吸入管と排出管はそれぞれ可撓性を有することを特徴とする水ポンプ。前記弾性握筒の下端には前記吸入管と排出管とを係止する係止手段１１を備えさせる。【選択図】図１
0003112735.tif 000002
【実用新案登録請求の範囲】
【請求項１】
膨縮自在の弾性握筒の下端には第一逆止弁を備えた吸入管と第二逆止弁を備えた排出管とを連通させ、該吸入管と排出管はそれぞれ可撓性を有することを特徴とする水ポンプ。
【請求項２】
前記弾性握筒の下端には前記吸入管と排出管とを係止する係止手段を備えさせたことを特徴とする請求項１に記載の水ポンプ。
【考案の詳細な説明】
【技術分野】
【０００１】
本考案は、水ポンプに関するものであり、更に詳しくは、花瓶、水盤等の花器の水替え、鉢花の水やり、金魚鉢の水替え、容器間の水の移動等に用いられる水ポンプに係るものである。
【背景技術】
【０００２】
本出願人は、実用新案登録第３１０８９７６号公報において、花器用の水交換具（以下「従来の水交換具」という。）を提供している。
【０００３】
上記従来の水交換具は、膨縮自在の弾性握筒の下端には第一逆止弁を備えた吸入管と第二逆止弁を備えた排出管とを連通させ、該吸入管は上部が排出管側に折曲していることを特徴とする花器用の水交換具である。
【特許文献１】実用新案登録第３１０８９７６号公報
【考案の開示】
【考案が解決しようとする課題】
【０００４】
上記従来の水交換具においては、吸入管の上部が排出管側に折曲しているものの、該吸入管が可撓性を有していないため、花器に挿した被鑑賞物の大きさ、高さ、形状等により、該水交換具を被鑑賞物に当接させることなく使用することができない場合がある。
【０００５】
本出願において「被鑑賞物」とは、花器に観賞用に挿される植物の枝、葉、花その他の物をいう。
【０００６】
花器の水を交換する際に、交換具が花器に挿した被鑑賞物に当接すると、該花器内における被鑑賞物の配列が乱れるだけでなく、被鑑賞物の花びらその他の部分が落下するおそれもある。
【０００７】
また、上記従来の水交換具は、包装時、運搬時、収納時等に嵩張るという問題もある。
【０００８】
本考案は、上記従来の水交換具における上述の如き問題を解決すると共に、花瓶、水盤等の花器の水替えのみならず、鉢花の水やり、金魚鉢の水替え、容器間の水の移動等にも好ましく用いられる水ポンプを提供しようとしてなされたものである。
【課題を解決するための手段】
【０００９】
上記課題を解決するために、本考案は、花器の水ポンプを提供する。
【００１０】
（１）膨縮自在の弾性握筒の下端には第一逆止弁を備えた吸入管と第二逆止弁を備えた排出管とを連通させ、該吸入管と排出管はそれぞれ可撓性を有することを特徴とする水ポンプ（請求項１）。
【００１１】
（２）前記弾性握筒の下端には前記吸入管と排出管とを係止する係止手段を備えさせる（請求項２）。
【００１２】
［考案の作用］
［請求項１の考案］
請求項１の水ポンプを用いて例えば花器内の水を排出する際には、被鑑賞物を花器に挿した状態のまま、吸入管の下端を花器内の水中に位置させると共に、排出管の下端を花器の近傍に置いたバケツ等の空の容器内に位置させる。弾性握筒を手で握って握力により収縮させた後、該弾性握筒を握力から解放する。しかるときは、弾性握筒は弾性により元の状態まで膨張する。弾性握筒は、膨張することにより、吸引作用をなす。すると、吸入管の第一逆止弁が開くと共に排出管の第二逆止弁が閉じ、花器内の水は吸入管を上り、第一逆止弁を通過して弾性握筒内に流入する。
【００１３】
続いて、水で満たされた弾性握筒を手で再び収縮させると、吸入管の第一逆止弁が閉じると共に排出管の第二逆止弁が開き、弾性握筒内の水は第二逆止弁を通過して排出管よりバケツ等の容器内に排出される。
【００１４】
以上の如き弾性握筒の膨張収縮を花器内の水がなくなるまで連続的に繰り返す。
【００１５】
花器内の水がなくなった後、バケツ等の容器内にある古い水を廃棄し、該容器に新しい水を入れ、該容器を花器の近傍に置く。続いて、吸入管の先端を容器内の水中に位置させると共に、排出管の先端を花器内に位置させ、前記と同様の操作により容器内の新しい水を花器に移す。
【００１６】
［請求項２の考案］
水ポンプの包装時、運搬時、収納時等には、吸入管と排出管とを折り曲げて弾性握筒下端の係止手段に係止する。図３参照。
【考案の効果】
【００１７】
［請求項１の考案］
水ポンプの吸入管と排出管がそれぞれ可撓性を有するため、例えば花器の水替え等の際に、花器に挿した被鑑賞物に当接させることなく水ポンプを使用することができる。また、水ポンプの吸入管と排出管がそれぞれ可撓性を有するため、鉢花の水やり、金魚鉢の水替え、容器間の水の移動等の種々の作業に水ポンプを使用することができる。
【００１８】
［請求項２の考案］
水ポンプの包装時、運搬時、収納時等には、吸入管と排出管とを折り曲げて弾性握筒下端の係止手段に係止することにより、水ポンプをコンパクトに折り畳むことができる。
【考案を実施するための最良の形態】
【００１９】
符号１に示すものは膨縮自在の弾性握筒である。弾性握筒１は、手で握ったときには握力により収縮し、握力から解放したときには弾性により元の状態まで膨張する。弾性握筒１は、一例として、ベローズ筒とする。
【００２０】
弾性握筒１の下端には吸入管３と排出管５とを連通させる。
【００２１】
吸入管３には第一逆止弁７を備えさせる。弾性握筒１が膨張することにより吸引作用をなすときに、第一逆止弁７は開いて吸入管３より弾性握筒１への水の流入を許す。第一握筒１が収縮することにより吐出し作用をなすときに、第一逆止弁７は閉じて弾性握筒１から吸入管３ヘの水の流出を阻止する。
【００２２】
排出管５には第二逆止弁９を備えさせる。弾性握筒１が膨張することにより吸引作用をなすときに、第二逆止弁９は閉じて排出管５より弾性握筒１への空気又は水の流入を阻止する。第一握筒１が収縮することにより吐出し作用をなすときに、第二逆止弁９は開いて弾性握筒１から排出管５ヘの水の流出を許す。
【００２３】
吸入管３と排出管５はそれぞれ可撓性を有する。吸入管３と排出管５はそれぞれ例えばフレキシブルホースとする。
【００２４】
図示の事例においては、弾性握筒１の下端に連結管１０を取り付け、該連結管１０の一端には吸入管３を接続すると共に当該一端の近傍に第一逆止弁７を内設し、該連結管１０の他端には排出管５を接続すると共に当該他端の近傍に第二逆止弁９を内設している。
【００２５】
弾性握筒１の下端には吸入管３と排出管５とを係止する係止手段１１を備えさせる。
【００２６】
図示の事例における係止手段１１は、弾性握筒１の下端に板状体１３を取り付け、該板状体１３にはそれぞれ吸入管３と排出管５とを係止するための切欠部１５、１７を形成してなるものである。符号１８に示すものは、板状体１３に形成された透孔である。
【００２７】
符号１９に示すものは、被鑑賞物である。符号２１ａに示すものは花器としての花瓶である。符号２１ｂに示すものは花器としての水盤である。符号２３に示すものはバケツ等の容器である。
【図面の簡単な説明】
【００２８】
【図１】本考案による水ポンプの一部を示す正面図である。
【図２】係止手段の一例を示す平面図である。
【図３】吸入管と排出管とを係止手段に係止させた状態を示す正面図である。
【図４】本考案による水ポンプの使用状態の一例を示す正面図である。
【図５】本考案による水ポンプの使用状態の別の一例を示す正面図である。
【符号の説明】
【００２９】
１  弾性握筒
３  吸入管
５  排出管
７  第一逆止弁
９  第二逆止弁
１０  連結管
１１  係止手段
１３  板状体
１５  切欠部
１７  切欠部
１８  透孔
１９  被鑑賞物
２１ａ  花瓶
２１ｂ  水盤
２３  容器
【図１】
0003112735.tif 000003
【図２】
0003112735.tif 000004
【図３】
0003112735.tif 000005
【図４】
0003112735.tif 000006
【図５】
0003112735.tif 000007